(57)【要約】【課題】造花の見映えがより自然な装飾用リボンを提供すること。【解決手段】装飾用リボン（１０）は、蝶結び（１８）に結ばれた一端部（１４）と、蝶結びの結び目（２０）に通され蝶結びに対して相対移動可能である他端部（１６）とを有するリボン片（１２）からなる。【選択図】図１
2005179800.tif 000002
【特許請求の範囲】
【請求項１】
装飾用リボンであって、蝶結びに結ばれた一端部と、前記蝶結びの結び目に通され該蝶結びに対して相対移動可能である他端部とを有するリボン片からなる、装飾用リボン。
【発明の詳細な説明】
【技術分野】
【０００１】
本発明は、商品のような物品又はその包装を装飾するために用いられる装飾用リボンに関する。
【背景技術】
【０００２】
従来、装飾用リボンとして、リボン片と、該リボン片の各端部に取り付けられた粘着テープ片と、前記リボン片の両端部間の部分に取り付けられた造花とからなるものがある（特許文献１参照）。
【０００３】
【特許文献１】実開平５−６９１９１号公報
【発明の開示】
【発明が解決しようとする課題】
【０００４】
この装飾用リボンによれば、包装の対象である物品又はその包装に前記リボン片を掛け、該リボン片の両端部の粘着テープ片を前記リボン片に貼り付けることにより、前記包装用リボンを前記物品又はその包装に容易にまたしっかりと取り付けることができる。
【０００５】
しかし、前記リボン片に取り付けられた、該リボン片とは別体の造花はその見映えにおいて不自然であり、また、前記装飾用リボンを構成する部品（リボン片、粘着テープ片及び造花）の点数が多く、このためにその製造に多くの工程及びコストを要するという問題があった。
【０００６】
したがって、本発明の目的は、造花の見映えがより自然な装飾用リボンを提供することにある。また、本発明の他の目的は、より少ない工程及びコストで製造しうる装飾用リボンを提供することにある。
【課題を解決するための手段】
【０００７】
本発明に係る装飾用リボンは、蝶結びに結ばれた一端部と、前記蝶結びの結び目に通され該蝶結びに対して相対移動可能である他端部とを有するリボン片からなる。
【発明の効果】
【０００８】
本発明によれば、リボン片の一端部を結び合わせて蝶結びを形成したことから、前記リボン片の一部からなる蝶結びすなわち造花を有する装飾用リボンを得ることができる。前記リボン片の一部からなり、このために前記リボン片と一体の造花は、その見映えがより自然なものとして看取される。
【０００９】
また、前記蝶結びの結び目に通され、該蝶結びに対して相対移動可能である前記リボン片の他端部を引っ張ることにより、前記リボン片の両端部間部分が規定するループの大きさを小さくすることができる。このことから、前記リボン片の両端部間部分で物品又はその包装の周囲を取り巻いたのち、前記他端部を引くことにより、装飾用リボンを前記物品又はその包装に容易に、またしっかりと取り付けることができる。前記他端部の反対側への移動を生じないようにするためには、これを例えば前記リボン片の両端部間部分に粘着テープを用いて止める。
【００１０】
さらに、本発明に係る装飾用リボンは、リボン片のみからなることから、前記従来のものと比べて部品点数が少なく、少ない工程及びコストによるその製造が可能である。
【発明を実施するための最良の形態】
【００１１】
図１を参照すると、本発明に係る装飾用リボンが全体に符号１０で示されている。
【００１２】
装飾用リボン１０は１のリボン片１２からなり、リボン片１２は一端部１４と他端部１６とを有する。
【００１３】
リボン片１２は、合成繊維製、化学繊維製、天然繊維製等の織物又は不織布、合成樹脂製のストリップ等からなる。
【００１４】
リボン片の一端部１４は蝶結び１８に結ばれており、また、リボン片の他端部１６は蝶結びの結び目２０に通され、蝶結び１８に対して相対移動可能である。このため、リボン片の一端部１４（又は蝶結び１８）と他端部１６との間の部分（両端部間部分）２２はループ状をなしており、リボン片の他端部１６を矢印２４（図１）の方向へ引くと、両端部間部分２２の大きさ又は直径が漸減する。反対に他端部１６を戻す方向へ移動させると、両端部間部分２２の大きさ又は直径が漸増する。
【００１５】
装飾用リボン１０は、贈答品、その包装等の装飾のためにこれに取り付けて使用する。
【００１６】
例えば、図２に示すように、包装箱２６に包装用リボン１０を取り付けるときは、包装用リボンの両端部間部分２２のループの大きさを調整し、両端部間部分２２で包装箱２６の周囲を取り巻く。両端部間部分２２のループの大きさの調整は、蝶結び１８又は一端部１４に対する他端部１６の相対移動により行う。
【００１７】
次に、他端部１６を引いて前記ループの大きさを小さくする。これにより、両端部間部分２２が包装箱２６を緊縛し、包装箱２６への包装用リボン１０の取り付けを完了する。
【００１８】
包装箱２６の緊縛状態の持続は、蝶結び１８の結び目２０とこれを通る他端部１６との間に生じる摩擦力の大きさにより左右されるところ、前記摩擦力は、蝶結び１８を形成する際に一端部１４を比較的きつく結び合わせることにより、より大きいものとすることができる。必要があれば、引っ張り後の他端部１６の裏面を例えば両面接着テープで包装箱２６に固定してもよい。これにより、包装箱２６に対する包装用リボン１０の緩みをより確実に防止することができる。
【００１９】
引っ張り後に蝶結びの結び目２０から伸び出る他端部１６は、また、一端部１４における蝶結び１８に連なる先端部分（いわゆる「垂れ」の部分）の長さを考慮して、これとほぼ同じ長さになるように、例えば鋏で切断することができる。また、各端部１４，１６の先端の形状は、鋏で例えば逆Ｖ字形に切り揃えることができる。
【００２０】
包装用リボン１０は、次のようにして製造することができる。
【００２１】
まず、図３に示すように、適当な長さのリボン片１２の一端部１４を右において、左方へ伸びるリボン片１２の他端部（図示せず）を右方へ折り返す（第１の折り返し−その個所を符号２８で示す。）。次いで一端部１４の上方を横断するように左方へ折り返す（第２の折り返し−その個所を符号３０で示す。）。その結果、前記第１及び第２の両折り返し個所２８，３０間に第１の部分３２が生じる。
【００２２】
次に、図４に示すように、前記他端部をこれが一端部１４の下方及び第１の部分３２の下方を順次横切るように折り返す（第３の折り返し−その個所を符号３４で示す。）。その結果、第２及び第３の両折り返し個所３０，３４間に第２の部分３６が生じる。次いで、前記他端部をこれが第２の部分３６の上方を横切るように折り返す（第４の折り返し−その個所を符号３８で示す。）。
【００２３】
次に、図５に示すように、前記他端部をこれが第２の部分３６と一端部１４との間を通過するように折り返す（第５の折り返し−その個所を符号４０で示す。）。その結果、第４及び第５の折り返し個所３８，４０間に第３の部分４２が生じる。第３の部分４２は、蝶結びの結び目１８を形成する。
【００２４】
次に、図６に示すように、前記他端部を第３の部分４２と一端部１４との間に通す。その結果、両端間部分２２が生じる。
【００２５】
一端部１４を結び合わせて作る蝶結び１８の作り方は、他の方法によってもよい。
【図面の簡単な説明】
【００２６】
【図１】本発明に係る装飾用リボンの斜視図である。
【図２】包装箱とこれに取り付けられた装飾用リボンの斜視図である。
【図３】装飾用リボンを作るために他端部が折り返されたリボン片の部分斜視図である。
【図４】装飾用リボンを作るためにさらに他端部が折り返されたリボン片の部分斜視図である。
【図５】装飾用リボンを作るために他端部がさらに折り返され、結び目が生じた状態のリボン片の部分斜視図である。
【図６】装飾用リボンを作るために他端部が結び目に通された状態のリボン片の斜視図である。
【符号の説明】
【００２７】
１０  装飾用リボン
１２  リボン片
１４，１６，２２  リボン片の一端部、他端部及び両端部間部分
１８，２０  蝶結び及びその結び目
２６  包装箱
【図１】
2005179800.tif 000003
【図２】
2005179800.tif 000004
【図３】
2005179800.tif 000005
【図４】
2005179800.tif 000006
【図５】
2005179800.tif 000007
【図６】
2005179800.tif 000008